(57)【要約】【課題】ガイド層と複数の記録層を有する多層ディスクにおいて、全ての記録層のデータ領域に対して連続した論理アドレスを良好に割り当てる。【解決手段】コントローラ８１は、ガイド層の物理アドレスと記録層情報とから全ての記録層のデータ領域の論理アドレスを計算によって得る。具体的には、  ガイド層における物理アドレスの最大値（最終物理アドレス）をＰＳＮ＿ｍａｘ、  記録層Ｌｘの記録層情報をｘ（ｘ＝０，１，２，・・・）、  記録層Ｌｘのデータ領域における記録先の位置に対応する物理アドレスをＰＳＮ、  記録層Ｌｘのデータ領域における記録先の位置に記録されるデータ単位に与えられる論理アドレスをＬＳＮとして、    ＬＳＮ＝（ＰＳＮ＿ｍａｘ×ｘ）＋ＰＳＮ・・・（１）の計算を行う。【選択図】図８
2013239221.tif 000002
【特許請求の範囲】
【請求項１】
物理アドレス情報が記録されたガイドトラックが設けられた１以上のガイド層と、前記ガイドトラックに従って記録が行われる複数の記録層とを有するディスクに記録を行う光記録装置であって、
前記ガイド層の前記ガイドトラックから前記物理アドレスの情報を取得する物理アドレス再生部と、
前記取得された物理アドレスの情報と前記記録層を特定する情報から、当該記録層に記録されるデータ単位に付与される論理アドレスを計算する制御部と
を具備する光記録装置。
【請求項２】
請求項１に記載の光記録装置であって、
前記制御部は、
前記ガイドトラックに記録された物理アドレスの最大値をＰＳＮ＿ｍａｘ、
前記記録層Ｌｘを特定する情報をｘ（前記ガイド層に近いまたは遠い記録層より順にｘ＝０，１，２，・・・）、
前記記録層Ｌｘのデータ領域における記録先の位置に対応する前記物理アドレスをＰＳＮ、
前記記録層Ｌｘのデータ領域における記録先の位置に記録されるデータ単位に与えられる論理アドレスをＬＳＮとして、
ＬＳＮ＝（ＰＳＮ＿ｍａｘ×ｘ）＋ＰＳＮ
の式によりＬＳＮを計算する
光記録装置。
【請求項３】
請求項１に記載の光記録装置であって、
前記ガイド層は、第１のガイドトラックを有する第１のガイド層と、第１のガイドトラックに対してスパイラルの向きが逆の第２のガイドトラックを有する第２のガイド層とで構成され、前記第１のガイドトラックに記録された物理アドレスを開始側として当該第１のガイドトラックと前記第２のガイドトラックに全体として１つの物理アドレス空間が割り当てられ、
前記制御部は、
前記第１のガイドトラックに記録された物理アドレスの最大値をＰＳＮ＿ｍａｘ、
前記記録層Ｌｘを特定する情報をｘ（前記第１のガイド層に近いまたは遠い記録層より順にｘ＝０，１，２，・・・）、
偶数番目の記録層Ｌｘ（ｘ＝０，２，・・・）のデータ領域における記録先の位置に対応する前記第１のガイドトラックの物理アドレスをＰＳＮ０、
奇数番目の記録層Ｌｘ（ｘ＝１，３，・・・）のデータ領域における記録先の位置に対応する前記第２のガイドトラックの物理アドレスをＰＳＮ１、
偶数番目の記録層Ｌｘ（ｘ＝０，２，・・・）のデータ領域における記録先の位置に記録されるデータ単位に与えられる論理アドレスをＬＳＮ０、
奇数番目の記録層Ｌｘ（ｘ＝１，３，・・・）のデータ領域における記録先の位置に記録されるデータ単位に与えられる論理アドレスをＬＳＮ１として、
ＬＳＮ０＝（ＰＳＮ＿ｍａｘ×ｘ）＋ＰＳＮ０
ＬＳＮ１＝（ＰＳＮ＿ｍａｘ×（ｘ−１））＋ＰＳＮ１
の式によりＬＳＮ０およびＬＳＮ１をそれぞれ計算する
光記録装置。
【請求項４】
請求項１に記載の光記録装置であって、
前記ガイド層は、第１のガイドトラックを有する第１のガイド層と、第１のガイドトラックに対してスパイラルの向きが逆の第２のガイドトラックを有する第２のガイド層とで構成され、前記第１のガイドトラックに記録された物理アドレスが一つの物理アドレス空間においてスパイラルの向きに沿って増大し、前記第２のガイドトラックに記録された物理アドレスが前記物理アドレス空間において前記スパイラルの向きに沿って減少するように記録され、
前記制御部は、
前記第１のガイドトラックに記録された物理アドレスの最大値をＰＳＮ＿ｍａｘ、
前記記録層Ｌｘを特定する情報をｘ（前記第１のガイド層に近いまたは遠い記録層より順にｘ＝０，１，２，・・・）、
偶数番目の記録層Ｌｘ（ｘ＝０，２，・・・）のデータ領域における記録先の位置に対応する前記第１のガイドトラックの物理アドレスをＰＳＮ０、
奇数番目の記録層Ｌｘ（ｘ＝１，３，・・・）のデータ領域における記録先の位置に対応する前記第２のガイドトラックの物理アドレスをＰＳＮ１、
偶数番目の記録層Ｌｘ（ｘ＝０，２，・・・）のデータ領域における記録先の位置に記録されるデータ単位に与えられる論理アドレスをＬＳＮ０、
奇数番目の記録層Ｌｘ（ｘ＝１，３，・・・）のデータ領域における記録先の位置に記録されるデータ単位に与えられる論理アドレスをＬＳＮ１として、
ＬＳＮ０＝（ＰＳＮ＿ｍａｘ×ｘ）＋ＰＳＮ０
ＬＳＮ１＝（ＰＳＮ＿ｍａｘ×ｘ）＋ＰＳＮ＿ｍａｘ−ＰＳＮ１＋１
の式によりＬＳＮ０およびＬＳＮ１をそれぞれ計算する
光記録装置。
【請求項５】
物理アドレス情報が記録されたガイドトラックが設けられた１以上のガイド層と、前記ガイドトラックに従って記録が行われる複数の記録層とを有するディスクに記録を行う方法であって、
前記ガイド層の前記ガイドトラックから前記物理アドレスの情報を取得し、
前記取得された物理アドレスの情報と前記記録層を特定する情報から、当該記録層に記録されるデータ単位に付与される論理アドレスを計算する
光記録方法。
【発明の詳細な説明】
【技術分野】
【０００１】
本発明は、ガイド層と複数の記録層を有する多層ディスクに対して記録を行う光記録装置および光記録方法に関する。
【背景技術】
【０００２】
ＤＶＤ（Digital Versatile Disk）、ブルーレイディスク（登録商標）などの光ディスクの大容量化を目的として、記録層を多層化することが行われる。記録層の多層化に伴い、記録層へのデータの記録または再生時のトラックキング制御を、記録層とは別の層に設けられたガイドトラックを用いて行う方式も知られている。例えば、グルーブ構造によるガイドトラックが設けられたガイドトラック層に３９０ｎｍ〜４２０ｎｍの波長（青色）の光を使用してトラッキング制御を行うとともに、複数の記録層の中の一つの記録層に６５０ｎｍ〜６８０ｎｍの波長（赤色）の光を使用して記録を行う光ドライブ装置などがある（例えば、特許文献１等）。
【先行技術文献】
【特許文献】
【０００３】
【特許文献１】特開２００７−２００４２７号公報
【発明の概要】
【発明が解決しようとする課題】
【０００４】
追記型のＤＶＤなどのディスクにおいては、記録トラック上に物理アドレスを記録する方法としてウォブル変調方式が採用される。ウォブル変調方式は、記録トラックを形成する案内溝（グルーブ）を蛇行させ、その蛇行（ウォブル）の周波数変調あるいは位相変調などによって物理アドレスを記録する方式である。ディスクドライブは、ディスクにデータを記録する際、ウォブルを復調して物理アドレス（セクタ番号）を取得し、この物理アドレスを含むＩＤ（Identification Data）を記録データフレームの論理アドレスとして生成し、そのＩＤを記録用のユーザデータなどとともにディスクに記録する。そしてディスクドライブは、上位装置から、論理アドレスを指定したリードコマンドを受け付けると、論理アドレスを物理アドレスに変換し、ディスク上の該当する位置のユーザデータを読み出し、上位装置に転送する。
【０００５】
しかしながら、ガイド層と複数の記録層を有する多層ディスクにおいては、各記録層は平らな面で構成できることが製造上の利点とされることから、ＤＶＤのように物理アドレスがウォブル変調方式によって記録された案内溝を設けることは想定されていない。そこで、記録層に記録データフレームを記録する際に、この記録データフレームに割り当てる論理アドレスをどのようにして取得し、また取得した物理アドレスからどのようにして論理アドレスを生成するかが課題となってくる。
【０００６】
以上のような事情に鑑み、本発明の目的は、ガイド層と複数の記録層を有する多層ディスクにおいて、全ての記録層のデータ領域に対して連続した論理アドレスを良好に割り当てることができるとともに、多層ディスクの製造歩留りの向上を図ることのできる光記録装置および光記録方法を提供することにある。
【課題を解決するための手段】
【０００７】
上記目的を達成するため、本発明の一形態に係る光記録装置は、物理アドレス情報が記録されたガイドトラックが設けられた１以上のガイド層と、前記ガイドトラックに従って記録が行われる複数の記録層とを有するディスクに記録を行う光記録装置であって、前記ガイド層の前記ガイドトラックから前記物理アドレスの情報を取得する物理アドレス再生部と、前記取得された物理アドレスの情報と前記記録層を特定する情報から、当該記録層に記録されるデータ単位に付与される論理アドレスを計算する制御部とを具備する。
【０００８】
本発明の光記録装置では、ガイド層の物理アドレスと記録層情報とから複数の記録層のデータ領域の論理アドレスが計算によって生成される。これにより、個々の記録層にウォブルやピット列で物理アドレスを記録しておき、これを利用して各記録層の論理アドレスをユーザデータの記録時に生成する方式に比較して、多層ディスクの製造歩留りを向上させることができる。すなわち、記録層毎にウォブルやプリピットなどによって物理アドレスが記録された光ディスクでは、物理アドレスの読み込みでエラーが発生する記録層が一つでも存在するような光ディスクは不良品として処分されねばならない。したがって、このような多層ディスクの場合には記録層の積層数が増加するにつれて不良品の発生確率が増大する傾向となるのに対し、本実施形態では、ガイド層から物理アドレスを読み出すことができればよいため、記録層の多層化が比較的容易となり、製造歩留りの向上も期待できる。
【０００９】
また、本発明において、前記制御部は、
前記ガイドトラックに記録された物理アドレスの最大値をＰＳＮ＿ｍａｘ、
前記記録層Ｌｘを特定する情報をｘ（前記ガイド層に近いまたは遠い記録層より順にｘ＝０，１，２，・・・）、
前記記録層Ｌｘのデータ領域における記録先の位置に対応する前記物理アドレスをＰＳＮ、
前記記録層Ｌｘのデータ領域における記録先の位置に記録されるデータ単位に与えられる論理アドレスをＬＳＮとして、
ＬＳＮ＝（ＰＳＮ＿ｍａｘ×ｘ）＋ＰＳＮ
の式によりＬＳＮを計算するものであってよい。
【００１０】
また、本発明において、前記ガイド層は、第１のガイドトラックを有する第１のガイド層と、第１のガイドトラックに対してスパイラルの向きが逆の第２のガイドトラックを有する第２のガイド層とで構成され、前記第１のガイドトラックに記録された物理アドレスを開始側として当該第１のガイドトラックと前記第２のガイドトラックに全体として１つの物理アドレス空間が割り当てられ、
前記制御部は、
前記第１のガイドトラックに記録された物理アドレスの最大値をＰＳＮ＿ｍａｘ、
前記記録層Ｌｘを特定する情報をｘ（前記第１のガイド層に近いまたは遠い記録層より順にｘ＝０，１，２，・・・）、
偶数番目の記録層Ｌｘ（ｘ＝０，２，・・・）のデータ領域における記録先の位置に対応する前記第１のガイドトラックの物理アドレスをＰＳＮ０、
奇数番目の記録層Ｌｘ（ｘ＝１，３，・・・）のデータ領域における記録先の位置に対応する前記第２のガイドトラックの物理アドレスをＰＳＮ１、
偶数番目の記録層Ｌｘ（ｘ＝０，２，・・・）のデータ領域における記録先の位置に記録されるデータ単位に与えられる論理アドレスをＬＳＮ０、
奇数番目の記録層Ｌｘ（ｘ＝１，３，・・・）のデータ領域における記録先の位置に記録されるデータ単位に与えられる論理アドレスをＬＳＮ１として、
ＬＳＮ０＝（ＰＳＮ＿ｍａｘ×ｘ）＋ＰＳＮ０
ＬＳＮ１＝（ＰＳＮ＿ｍａｘ×（ｘ−１））＋ＰＳＮ１
の式によりＬＳＮ０およびＬＳＮ１をそれぞれ計算するものであってよい。
【００１１】
さらに、本発明において、前記ガイド層は、第１のガイドトラックを有する第１のガイド層と、第１のガイドトラックに対してスパイラルの向きが逆の第２のガイドトラックを有する第２のガイド層とで構成され、前記第１のガイドトラックに記録された物理アドレスが一つの物理アドレス空間においてスパイラルの向きに沿って増大し、前記第２のガイドトラックに記録された物理アドレスが前記物理アドレス空間において前記スパイラルの向きに沿って減少するように記録され、前記制御部は、
前記第１のガイドトラックに記録された物理アドレスの最大値をＰＳＮ＿ｍａｘ、
前記記録層Ｌｘを特定する情報をｘ（前記第１のガイド層に近いまたは遠い記録層より順にｘ＝０，１，２，・・・）、
偶数番目の記録層Ｌｘ（ｘ＝０，２，・・・）のデータ領域における記録先の位置に対応する前記第１のガイドトラックの物理アドレスをＰＳＮ０、
奇数番目の記録層Ｌｘ（ｘ＝１，３，・・・）のデータ領域における記録先の位置に対応する前記第２のガイドトラックの物理アドレスをＰＳＮ１、
偶数番目の記録層Ｌｘ（ｘ＝０，２，・・・）のデータ領域における記録先の位置に記録されるデータ単位に与えられる論理アドレスをＬＳＮ０、
奇数番目の記録層Ｌｘ（ｘ＝１，３，・・・）のデータ領域における記録先の位置に記録されるデータ単位に与えられる論理アドレスをＬＳＮ１として、
ＬＳＮ０＝（ＰＳＮ＿ｍａｘ×ｘ）＋ＰＳＮ０
ＬＳＮ１＝（ＰＳＮ＿ｍａｘ×ｘ）＋ＰＳＮ＿ｍａｘ−ＰＳＮ１＋１
の式によりＬＳＮ０およびＬＳＮ１をそれぞれ計算するものであってよい。
【００１２】
本発明の別の形態に係る光記録方法は、物理アドレス情報が記録されたガイドトラックが設けられた１以上のガイド層と、前記ガイドトラックに従って記録が行われる複数の記録層とを有するディスクに記録を行う方法であって、前記ガイド層の前記ガイドトラックから前記物理アドレスの情報を取得するステップと、前記取得された物理アドレスの情報と前記記録層を特定する情報から、当該記録層に記録されるデータ単位に付与される論理アドレスを計算するステップとを有する。
【発明の効果】
【００１３】
以上のように、本発明によれば、ガイド層と複数の記録層を有する多層ディスクにおいて、全ての記録層のデータ領域に対して連続した論理アドレスを良好に割り当てることができるとともに、多層ディスクの製造歩留りの向上を図ることができる。
【図面の簡単な説明】
【００１４】
【図１】本発明の一実施形態に係る光記録システムを示す図である。
【図２】図１の光記録システムにおけるストレージユニット、ディスクカートリッジ、およびドライブユニットの構成を示す図である。
【図３】ガイド層付き光記録媒体の構成を示す断面図である。
【図４】ガイド層付き光記録媒体におけるガイド層および記録層の半径方向の位置によって区分される領域の構成を示す図である。
【図５】図１の光記録システムにおけるディスクドライブの構成を示す図である。
【図６】データフレームの構造を示す図である。
【図７】図６のデータフレームにおけるＩＤの構成を示す図である。
【図８】本発明に係る第１の実施形態によるガイド層のデータ領域の物理アドレスと各記録層のデータ領域に割り当てられる論理アドレスとの関係を示す図である。
【図９】第１の実施形態による論理アドレスの割り当ての具体的を示す図である。
【図１０】本発明に係る第２の実施形態および第２の実施形態の多層ディスクの構成を説明する図である。
【図１１】第２の実施形態による２つのガイド層のデータ領域の物理アドレスと４つの記録層のデータ領域に割り当てられる論理アドレスとの関係を示す図である。
【図１２】第２の実施形態による２つのガイド層に割り当てられた物理アドレスを示す図である。
【図１３】第２の実施形態による論理アドレスの割り当ての具体的を示す図である。
【図１４】本発明に係る第３の実施形態による２つのガイド層のデータ領域の物理アドレスと各記録層のデータ領域に割り当てられる論理アドレスとの関係を示す図である。
【図１５】第３の実施形態による２つのガイド層に割り当てられた物理アドレスを示す図である。
【図１６】第３の実施形態による論理アドレスの割り当ての具体的を示す図である。
【発明を実施するための形態】
【００１５】
以下、図面を参照しながら、本発明の実施形態を説明する。
図１は、本発明の第１の実施形態に係る光記録システムを示す図である。
【００１６】
図１は光記録システムの全体の構成を示す図である。
この光記録システム１は、ストレージユニット１０と、ディスク搬送機構２０と、ドライブユニット３０と、ＲＡＩＤコントローラ４０と、ホスト装置５０とを備える。以下、それぞれの詳細について説明する。
【００１７】
［ストレージユニット１０］
ストレージユニット１０は、複数の多層光記録媒体である光ディスク１１が個別に着脱自在に収容されるユニットである。
【００１８】
ストレージユニット１０内での複数の光ディスク１１の収容形態としては平積み、縦並びなどが想定される。いずれの場合も、ストレージユニット１０に対して光ディスク１１の出し入れが円滑に行われるように、隣り合う光ディスク１１間には一定の隙間が設けられることが好ましい。ストレージユニット１０の形状は、ユーザによるハンドリング性、光ディスク１１の収納効率などの点から、例えば直方体形状、円筒形状などが想定される。図１の例では、複数の光ディスク１１を平積みで収容した直方体形状のストレージユニット１０が用いられる。
【００１９】
図２は、ストレージユニット１０、光ディスク１１およびドライブユニット３０の構成を示す図である。
ストレージユニット１０の少なくとも一つの側面には光ディスク１１の出し入れのための開口部１０１と、この開口部１０１を開閉する扉（図示せず）とが設けられている。扉はディスク搬送機構２０によるストレージユニット１０からの光ディスク１１の出し入れの動作と連動して開閉され、その他のときは閉状態とされる。
【００２０】
なお、本発明において、ストレージユニット１０の構成は図２のものに限定されない。ストレージユニット１０の形状、開口部の数や位置、扉の有無、複数の光ディスク１１の収容形態など、様々な変形が可能である。
【００２１】
［光ディスク１１］
ストレージユニット１０に収容される光ディスク１１は、ガイド層と記録層とが別々の層に分離して形成された、いわゆる「ガイド層付き光ディスク」である。特にこの実施形態では、２枚のガイド層付き光ディスクを貼り合わせた両面記録型の光ディスクと、ガイド層付き光ディスクを単体で使用した片面記録型の光ディスクが用いられる。以降、両面記録型の光ディスクを「両面ディスク」、片面記録型の光ディスクを「片面ディスク」とそれぞれ略称する。
【００２２】
図３はガイド層付き光ディスク１１１の構成を示す断面図である。
ガイド層付き光ディスク１１１は、ガイド層１１２と複数の記録層１１３とを有する。同図のガイド層付き光ディスク１１１の例では記録層１１３の層数は"４"である。ガイド層１１２とこれに最も近い記録層１１３との間、隣り合う記録層１１３の間との間には光透過性を有する中間層１１４がそれぞれ介層されている。これらの層は、光ピックアップ３２からの記録再生光Ｒ１およびガイド光Ｒ２が入射される側から、保護層１１５、記録層１１３、中間層１１４、記録層１１３、中間層１１４、記録層１１３、中間層１１４、記録層１１３、中間層１１４、ガイド層１１２の順に積層配置される。
【００２３】
ガイド層１１２において記録層１１３に対向する側の面には、トラッキング制御のためのランド・グルーブ構造によるガイドトラック１２１がスパイラル状あるいは同心円状に設けられている。ガイドトラック１２１の側壁面にはウォブルによる変調によって、ディスク全周のわたるトラック位置情報を示す物理アドレス情報が形成されている。ガイドトラック１２１は、例えばＤＶＤ（Digital Versatile Disk）の記録再生に用いられる赤色レーザ光に対応するトラックピッチ（０．６４μｍ）で形成される。ランドとグルーブ間のピッチの平均は０．３２μｍである。以後、赤色レーザ光のレーザ光を「ガイド光」と呼ぶ。
【００２４】
本実施形態の光記録システム１では、ガイドトラック１２１のランドとグルーブのそれぞれにおいて、例えば、差動プッシュプル法（ＤＰＰ：Differential Push-Pull）などによるトラッキング制御が行われる。ガイドトラック１２１のランドとグルーブのそれぞれにおいてトラッキング制御が行われることで、記録層１１３に対する情報の記録は０．３２μｍのトラックピッチで行うことが可能である。
【００２５】
記録層１１３は、例えばブルーレイディスク（登録商標）の記録再生に用いられる青色レーザ光に対応するトラックピッチ（０．３２μｍ）で情報の記録が行われる層である。以後、この青色レーザ光を「記録再生光」または「記録光」と呼ぶ。記録層１１３は、例えば光吸収層と反射層等とにより構成される。光吸収層としてはシアニン系色素やアゾ系色素等の有機色素や、Ｓｉ、Ｃｕ、Ｓｂ、Ｔｅ、Ｇｅ等の無機材料が用いられる。記録光がガイド層付き光ディスク１１１における目的の記録層１１３に照射されると、その記録光が照射された領域の反射率が変化し、反射率が変化した領域がピットとして形成されることで、記録層１１３に情報が記録される。
【００２６】
なお、記録層１１３への情報の記録時および再生時のトラッキング制御および物理アドレスならびに基準クロックの取得は、ガイド層１１２のガイドトラック１２１を用いて行われるため、記録層１１３にはランド・グルーブ構造によるガイドトラック１２１は不要である。したがって、記録層１１３の表面は平坦でよい。
【００２７】
両面ディスクとしての光ディスク１１は、２枚のガイド層付き光ディスク１１１がガイド層１１２のランド・グルーブ構造面の逆側の面どうしを対向させるようにして貼り合わせて一体化することにより構成される。
【００２８】
図４はガイド層付き光ディスク１１１におけるガイド層１１２および記録層１１３の半径方向の位置によって区分される領域の構成を示す図である。
ガイド層１１２および記録層１１３は、半径方向における位置によって内周側よりリードイン領域、データ領域、リードアウト領域に各層共通に区分される。
【００２９】
ガイド層１１２のリードイン領域には、ガイド層付き光ディスク１１１に固有の管理情報がウォブル変調などによって予め記録されている。
ガイド層付き光ディスク１１１に固有の管理情報は、記録層の数、記録方式、記録線速度、記録再生時のレーザパワーおよびレーザ駆動パルス波形などの推奨情報、データ領域の位置情報、ＯＰＣ領域の位置情報などを含む。
【００３０】
ガイド層１１２のデータ領域には、当該データ領域に対して割り当てられた物理アドレス情報が、ガイドトラック１２１のグルーブのウォブル変調などによって予め記録されている。
なお、ガイド層１１２のリードアウト領域にも、リードイン領域に記録された情報と同一の情報がウォブル変調などによって予め記録されていてもよい。
【００３１】
記録層１１３のリードイン領域は、記録層１１３への記録再生に用いられる管理情報がピット列によって記録される領域である。記録層１１３への記録再生に用いられる管理情報は、当該記録層１１３に割り当てられた層番号などの層情報、欠陥領域の交替処理に関する交替管理情報、ＯＰＣ処理（校正処理）によって決定された記録時の最適なレーザパワーなどの記録再生条件などを含む。
【００３２】
記録層１１３のデータ領域にはユーザデータが記録される。ユーザデータはデータフレームと呼ばれる構造単位で記録される。
図６はデータフレームの構造を示す図である。同図に示すように、データフレームは、先頭よりディスクのＩＤ（Identification data）、ＩＤのエラー検出コード、著作権情報、ユーザデータ、エラー検出コードで構成される。
【００３３】
図７はＩＤの構成を示す図である。
ＩＤは、セクタ情報（Sector Information）と論理アドレスとで構成される。
セクタ情報は、ディスク層数情報と記録層情報（レイヤ情報）とを含む。
【００３４】
ディスク層数情報は、ガイド層付き光ディスク１１１に設けられた片面分の記録層の層数を示す情報である。
【００３５】
記録層情報は、ガイド層付き光ディスク１１１に設けられた片面分の個々の記録層を識別するための値である。具体的には、ガイド層に最も近い記録層に対して"０"が割り当てられ、ガイド層から離れるに従って"１"が加算された値がその他の記録層にそれぞれ割り当てられる。逆に、ガイド層に最も遠い記録層に対して"０"が割り当てられ、ガイド層に近づくに従って"１"が加算された値がその他の記録層にそれぞれ割り当てられるようにしてもよい。本実施形態では前者が採用されている。
【００３６】
論理アドレスは、記録層へのユーザデータの記録時にガイド層のガイドトラックに記録された物理アドレス（セクタ番号）と記録層情報からの計算によって得られる値である。また、記録層からのユーザデータの再生時には、論理アドレスは逆変換用の計算式によって物理アドレス（セクタ番号）と記録層情報とに逆変換される。
【００３７】
［ディスク搬送機構２０］
ディスク搬送機構２０は、ストレージユニット１０から目的の光ディスク１１を取り出してドライブユニット３０内のディスクドライブ３１に装填したり、逆にディスクドライブ３１から排出された光ディスク１１をストレージユニット１０に戻したりするための機構である。
【００３８】
ディスク搬送機構２０は、例えば、ストレージユニット１０から同時に複数の光ディスク１１を取り出して、ドライブユニット３０内の複数のディスクドライブ３１に別々に装填することができるように、独立して動作可能な複数の搬送機構を備えたものであることが望ましい。
【００３９】
［ドライブユニット３０］
ドライブユニット３０には複数のディスクドライブ３１が搭載される。同図の例では、５機のディスクドライブ３１が搭載される。ストレージユニット１０に収容される光ディスク１１の数とドライブユニット３０内に搭載されるディスクドライブ３１の数は必ずしも同じとする必要はない。
【００４０】
（ディスクドライブ３１の構成）
図５は光記録装置であるディスクドライブ３１の構成を示す図である。
このディスクドライブ３１は、光ピックアップ３２を備える。光ピックアップ３２は、記録再生光に対応する記録再生光学系と、ガイド光に対応するガイド光学系とを備える。
【００４１】
記録再生光学系は、第１の光源３３、第１のコリメータレンズ３４、第１の偏光ビームスプリッタ３５、第１のリレーレンズ３６、第２のコリメータレンズ３７、合成プリズム３８、１／４波長板３９、対物レンズ６０、第１の受光レンズ６１および第１の受光部６２などで構成される。ここで、合成プリズム３８、１／４波長板３９、対物レンズ６０は、当該記録再生光学系と後述するガイド光学系の両方に属する。
【００４２】
第１の光源３３は第１の波長のレーザ光を記録再生光Ｒ１として出射するレーザダイオードを備える。第１の光源３３から出射された記録再生光Ｒ１は第１のコリメータレンズ３４によって平行光とされ、第１の偏光ビームスプリッタ３５、第１のリレーレンズ３６及び第２のコリメータレンズ３７を介して合成プリズム３８に入射する。合成プリズム３８は、第２のコリメータレンズ３７から入射される記録再生光Ｒ１と、後述するガイド光学系に属する第３のコリメータレンズから入射される第２の波長のガイド光Ｒ２とを互いの光軸が一致するように合成し、１／４波長板３９を介して対物レンズ６０に入射させる。対物レンズ６０にて、入射された記録再生光は、両面ディスクである光ディスク１１の一方のガイド層付き光ディスク１１１の目的の記録層１１３（図３）に合焦させるように集光される。
【００４３】
記録層１１３によって反射された記録再生光（戻り光）は、対物レンズ６０、１／４波長板３９を介して合成プリズム３８に入射し、合成プリズム３８を入射方向のまま透過して、第２のコリメータレンズ３７及び第１のリレーレンズ３６を介して第１の偏光ビームスプリッタ３５に戻る。第１の偏光ビームスプリッタ３５は、第１のリレーレンズ３６からの第１の波長の戻り光を約９０度の角度で反射して第１の受光レンズ６１を介して第１の受光部６２に入射させる。
【００４４】
第１の受光部６２は、例えば受光面が縦横に計４分割された受光素子を有し、分割された受光面毎の受光強度に応じたレベルの電圧信号を再生信号として出力する。
【００４５】
ガイド光学系（第１のガイド光学系、第２のガイド光学系）は、第２の光源６３、第３のコリメータレンズ６４、第２の偏光ビームスプリッタ６５、第２のリレーレンズ６６、第４のコリメータレンズ６７、合成プリズム３８、１／４波長板３９、対物レンズ６０、第２の受光レンズ６８および第２の受光部６９などで構成される。
【００４６】
第２の光源６３は、赤色レーザ光であるガイド光Ｒ２を出射する。第２の光源６３から出射されたガイド光Ｒ２は第３のコリメータレンズ６４によって平行光とされ、第２の偏光ビームスプリッタ６５、第２のリレーレンズ６６及び第４のコリメータレンズ６７を介して合成プリズム３８に入射する。合成プリズム３８に入射されたガイド光Ｒ２は、前述したように、合成プリズム３８にて記録再生光学系の第２のコリメータレンズ３７から入射される第１の波長の記録再生光Ｒ１と光軸が一致するように合成され、１／４波長板３９を介して対物レンズ６０に入射される。対物レンズ６０にて、入射されたガイド光Ｒ２は、両面ディスクである光ディスク１１の一方のガイド層付き光ディスク１１１のガイド層１１２（図３）に合焦させるように集光される。
【００４７】
ガイド層１１２によって反射されたガイド光Ｒ２（戻り光）は、対物レンズ６０、１／４波長板３９を介して合成プリズム３８に入射し、合成プリズム３８にて約９０度の角度で反射され、第４のコリメータレンズ６７及び第２のリレーレンズ６６を介して第２の偏光ビームスプリッタ６５に戻る。第２の偏光ビームスプリッタ６５は、第２のリレーレンズ６６からのガイド光Ｒ２の戻り光を、約９０度の角度で反射して第２の受光レンズ６８を介して第２の受光部６９に入射させる。
【００４８】
第２の受光部６９は、例えば受光面が縦横に計４分割された受光素子を有し、分割された受光面毎の受光強度に応じたレベルの電圧信号を再生信号として出力する。
【００４９】
また、光ピックアップ３２には、トラッキングアクチュエータ７０とフォーカシングアクチュエータ（図示せず）が設けられている。トラッキングアクチュエータ７０はトラッキング制御部７１による制御のもとで対物レンズ６０を光軸に対して垂直な方向であるディスク半径方向に移動させる。フォーカシングアクチュエータは、図示しないフォーカス制御部による制御のもと対物レンズ６０を光軸方向に移動させる。
【００５０】
さらに、図示は省略したが、光ピックアップ３２には、記録再生光が照射される記録層１１３を切り替えるように第１のリレーレンズ３６を光軸方向に移動させる第１のリレーレンズアクチュエータと、第２のリレーレンズ６６を光軸方向に移動させる第２のリレーレンズアクチュエータが設けられている。
以上が、光ピックアップ３２の説明である。
【００５１】
ディスクドライブ３１は、上記の光ピックアップ３２のほか、データ変調部７２、第１の光源駆動部７３、第２の光源駆動部７４、等化器７５、データ再生部７６、トラッキングエラー生成部７７、トラッキング制御部７１、物理アドレス再生部７８、ディスクモータ駆動部７９、フィード機構８０、コントローラ８１、さらには図示しないフォーカス制御部、リレーレンズ制御部などを有する。
【００５２】
データ変調部７２は、コントローラ８１より供給された記録用のデータを変調し、変調信号を第１の光源駆動部７３に供給する。
【００５３】
第１の光源駆動部７３は、データ変調部７２からの変調信号をもとに第１の光源３３を駆動するための駆動パルスを生成する。
【００５４】
等化器７５は、第１の受光部６２からの再生ＲＦ信号に対して、例えばＰＲＭＬ（Partial Response Maximum Likelihood）などの等化処理を行って二値信号を生成する。
【００５５】
データ再生部７６は、等化器７５より出力された二値信号からデータを復調し、復調されたデータから誤り訂正などの復号処理を行って再生データを生成し、コントローラ８１に供給する。
【００５６】
トラッキングエラー生成部７７は、第２の受光部６９の出力をもとに、例えば差動プッシュプル法などによってトラッキングエラー信号を生成し、トラッキング制御部７１に供給する。
【００５７】
トラッキング制御部７１は、トラッキングエラー生成部７７からのトラッキングエラー信号をもとにトラッキングアクチュエータ７０を制御して対物レンズ６０を光軸に対して垂直な方向に移動させてトラッキング制御を行う。
【００５８】
物理アドレス再生部７８は、第２の受光部６９の出力をもとに、ガイド層のガイドトラックに例えばウォブルあるいはピット列などに変調された管理情報および物理アドレス（セクタ番号）を再生してコントローラ８１に供給する。
【００５９】
ディスクモータ駆動部７９は、コントローラ８１による制御のもと光ディスク１１を回転駆動させるディスクモータ８２に駆動信号を供給する。
【００６０】
フィード機構８０は、光ピックアップ３２を光ディスク１１の半径方向に搬送する機構である。
【００６１】
図示しないフォーカス制御部は、図示しないフォーカシングアクチュエータを駆動させることにより、対物レンズ６０を光軸方向に移動させる。
【００６２】
コントローラ８１（制御部）は、ＣＰＵ（Central Processing Unit）、ＲＯＭ（Read Only Memory）、ＲＡＭ（Random Access Memory）などを備える。コントローラ８１は、ＲＡＭに割り当てられたメインメモリの領域にロードされたプログラムに基づいて、ディスクドライブ３１の全体の制御を行う。
【００６３】
ドライブユニット３０には、上記のディスクドライブ３１が複数搭載され、それぞれ独立して制御可能とされ、装填された光ディスク１１に対する情報の記録および再生をそれぞれ同時に行うことができる。
【００６４】
本実施形態の光記録システム１は、両面ディスクへの対応を想定しているため、それぞれのディスクドライブ３１には、当該光ディスク１１の一方の面（表面）と他方の面（裏面）のそれぞれに対応して光ピックアップ３２が一機ずつ第１の光ピックアップ（第１のガイド光光学系を含む。）および第２の光ピックアップ（第２のガイド光光学系を含む。）として配置され、それぞれの光ピックアップ３２に対応してデータ変調部７２、第１の光源駆動部７３、第２の光源駆動部７４、等化器７５、データ再生部７６、トラッキングエラー生成部７７、トラッキング制御部７１、物理アドレス再生部７８、フィード機構８０、フォーカス制御部、リレーレンズ制御部などが設けられている。そしてコントローラ８１は、上記２系統の制御を総括して行うものとされている。
【００６５】
［ＲＡＩＤコントローラ４０］
ＲＡＩＤ（Redundant Arrays of Inexpensive Disks）コントローラ４０は、ホスト装置５０からの記録命令などに対して、ドライブユニット３０内の１以上のディスクドライブ３１にデータを多重に記録したり、ストライピングにより分散して記録したりするＲＡＩＤ制御を行う。
【００６６】
ＲＡＩＤコントローラ４０より記録または再生の指示が与えられたそれぞれのディスクドライブ３１のコントローラ８１は、光ディスク１１の両側のガイド層付き光ディスク１１１に対してデータを記録したり再生したりするための制御を行う。
【００６７】
［ホスト装置５０］
ホスト装置５０は、本光記録システム１を制御する最上位の装置である。ホスト装置５０はパーソナルコンピュータでもよい。ホスト装置５０は、記録用のデータを作成または準備し、ＲＡＩＤコントローラ４０に対して当該記録用のデータの記録命令を供給する。また、ホスト装置５０は、ユーザなどより指定されたファイル名を含む読出命令をＲＡＩＤコントローラ４０に供給し、ＲＡＩＤコントローラ４０よりその応答として該当するファイル名のデータを取得する。
【００６８】
［光記録システム１の動作］
次に、本実施形態の光記録システム１において代表される動作として、記録層のデータ領域に記録されるデータフレームの作成手順を説明する。
【００６９】
ディスクドライブ３１のコントローラ８１は、まず、図６に示したデータフレームに付加すべきＩＤ（Identification data）を作成する。このＩＤの作成において、コントローラ８１は、ホスト装置５０より予め指定されたディスク層数に対応するディスク層数情報と、記録先の記録層に対応する記録層識別子（レイヤ情報）とを連結してセクタ情報（Sector Information）を作成する。なお、本実施形態では、片面に４層の記録層が設けられた多層ディスクを想定している。
【００７０】
続いてコントローラ８１は、ＩＤを構成するもう一つの要素である論理アドレスを次のようにして生成する。
【００７１】
ここで、論理アドレスの作成処理を詳細に説明する。
図８はガイド層のデータ領域の物理アドレスと各記録層のデータ領域に割り当てられる論理アドレスとの関係を示す図である。
図８において、実線はガイド層のデータ領域の物理アドレス、点線は４つの記録層のデータ領域に割り当てられる論理アドレスを示している。４つの記録層はガイド層に近いものから順に記録層Ｌ０、記録層Ｌ１、記録層Ｌ２、記録層Ｌ３と表記される。なお、４つの記録層へのユーザデータの記録はＬ０、Ｌ１、Ｌ２、Ｌ３の順で行われ、個々の記録層においてユーザデータの記録は内周から外周へ向けて行われることとする。
【００７２】
ガイド層のデータ領域の物理アドレス空間は一つの記録層のデータ領域の容量分しかないため、そのままでは一つの記録層のデータ領域の論理アドレス空間だけにしか割り当てられない。そこで、本実施形態では、ガイド層の物理アドレスと記録層情報とから、点線で示される全ての記録層のデータ領域の論理アドレスを計算によって得るようにした。
【００７３】
この計算は具体的には、
ガイド層における物理アドレスの最大値（最終物理アドレス）をＰＳＮ＿ｍａｘ、
記録層Ｌｘの記録層情報をｘ（ｘ＝０，１，２，・・・）、
記録層Ｌｘのデータ領域における記録先の位置に対応する物理アドレスをＰＳＮ、
記録層Ｌｘのデータ領域における記録先の位置に記録されるデータ単位に与えられる論理アドレスをＬＳＮとして、
ＬＳＮ＝（ＰＳＮ＿ｍａｘ×ｘ）＋ＰＳＮ・・・（１）
の式により行われる。
【００７４】
図９は論理アドレスの割り当ての具体的を示す図である。
例えば、ガイド層には内周側より"１"から"１００"までの物理アドレスが割り当てられているものとし、ガイド層のデータ領域の先頭物理アドレスを"１０"、ガイド層のデータ領域の最終物理アドレスを"９０"とする。なお、これら物理アドレスの値は説明の便宜上決められた値にすぎない。
【００７５】
（１）式に従って論理アドレスＬＳＮを計算すると、
記録層Ｌ０（ｘ＝０）のデータ領域の場合には、（１００×０）＋ＰＳＮの計算結果が論理アドレスとなるため、ガイド層のデータ領域の物理アドレスである"１０"から"９０"がそのまま記録層Ｌ０のデータ領域の論理アドレスとして割り当てられる。
記録層Ｌ１（ｘ＝１）のデータ領域には、（１００×１）＋ＰＳＮの計算結果が論理アドレスとなるため、"１１０"から"１９０"が記録層Ｌ１のデータ領域の論理アドレスとして割り当てられる。
記録層Ｌ２（ｘ＝２）のデータ領域には、（１００×２）＋ＰＳＮの計算結果が論理アドレスとなるため、"２１０"から"２９０"が記録層Ｌ２のデータ領域の論理アドレスとして割り当てられる。
記録層Ｌ３（ｘ＝３）のデータ領域には、（１００×３）＋ＰＳＮの計算結果が論理アドレスとなるため、"３１０"から"３９０"が記録層Ｌ３のデータ領域の論理アドレスとして割り当てられる。
【００７６】
なお、記録層からユーザデータを読み出す場合には、ホスト装置５０より指定された論理アドレス（ＬＳＮ）をガイド層の物理アドレスの最大値（ＰＳＮ＿ＭＡＸ）で割る。この計算による得られる商の値が記録層情報（ｘ）、余りが物理アドレス（ＰＳＮ）となる。
【００７７】
以上のようにして論理アドレスが作成された後、コントローラ８１は、作成されたセクタ情報（Sector Information）と論理アドレスとをマージしてＩＤを作成する。続いてコントローラ８１は、ＩＤに当該ＩＤのエラー検出コード、ユーザデータ、エラー検出コードを付加してデータフレームを作成する。さらに、コントローラ８１は、データフレームに対するスクランブル処理、ＥＣＣブロックの作成、インターリーブを行い、その結果をデータ変調部７２に記録用のデータとして供給する。
【００７８】
データ変調部７２は、記録用のデータを８／１６変換符号などの記録符号で変調して、変調信号を第１の光源駆動部７３に供給する。第１の光源駆動部７３は、データ変調部７２からの変調信号をもとに第１の光源３３に駆動パルスを供給する。これにより第１の光源３３から記録再生光Ｒ１が出射され、ガイド層付き光ディスク１１１の記録層のデータ領域にユーザデータが記録される。
【００７９】
［効果について］
本実施形態の光記録システム１では、ガイド層の物理アドレスと記録層情報とから複数の記録層のデータ領域の論理アドレスが計算によって生成される。これにより、個々の記録層にウォブルやピット列で物理アドレスを記録しておき、これを利用して各記録層の論理アドレスを生成する方式に比較して、多層ディスクの製造歩留りを向上させることができる。すなわち、記録層毎にウォブルやプリピットなどによって物理アドレスが記録された光ディスクでは、物理アドレスの読み込みでエラーが発生する記録層が一つでも存在するような光ディスクは不良品として処分されねばならない。したがって、このような多層ディスクの場合には記録層の積層数が増加するにつれて不良品の発生確率が増大する傾向となるのに対し、本実施形態では、ガイド層から物理アドレスを読み出すことができればよいため、記録層の多層化が比較的容易となり、製造歩留りの向上も期待できる。
【００８０】
＜第２の実施形態＞
次に、本発明に係る第２の実施形態を説明する。
上記の第１の実施形態では、複数の記録層の記録方向はすべて内周から外周への方向と共通化されている。このため、ある記録層から別の記録層へ連続してアクセスする場合には、光ピックアップをデータ領域の外周位置から内周位置へと一挙に移動（ジャンプ）させる必要があり、この移動分のタイムロスが発生する。そこで、スパイラルの向きを互いに逆にした２層のガイド層を設ける方式が考えられる。
【００８１】
図１０に示すように、この方式では、ガイド層Ｇ０のガイドトラックのスパイラルの向きを「内→外」とし、ガイド層Ｇ１のガイドトラックのスパイラルの向きを「外→内」とすることで、隣り合う記録層に連続して記録されたユーザデータをアクセスする際に光ピックアップの長距離のジャンプが発生せず、上記のタイムロスを回避することができる。
【００８２】
本発明は、このような方式においても応用することが可能である。
図１１は２つのガイド層Ｇ０、Ｇ１のデータ領域の物理アドレスと４つの記録層Ｌ０、Ｌ１、Ｌ２、Ｌ３のデータ領域に割り当てられる論理アドレスとの関係を示す図である。図１２は２つのガイド層Ｇ０、Ｇ１に割り当てられた物理アドレスを示す図である。
【００８３】
ガイド層Ｇ０には内周から外周へ向けて"１"から"ＰＳＮ＿ｍａｘ"までの物理アドレスが連続して記録され、ガイド層Ｇ１には逆に外周から内周へ向けて"ＰＳＮ＿ｍａｘ＋１"から"ＰＳＮ＿ｍａｘ×２"までの物理アドレスが連続して記録されている。
【００８４】
この場合、各記録層に割り当てられる論理アドレスは、
ガイド層Ｇ０における物理アドレスの最大値をＰＳＮ＿ｍａｘ、
記録層Ｌｘの記録層情報をｘ（ｘ＝０，１，２，・・・）、
偶数番目の記録層Ｌｘ（ｘ＝０，２，・・・）のデータ領域における記録先の位置に対応するガイド層Ｇ０における物理アドレスをＰＳＮ０、
奇数番目の記録層Ｌｘ（ｘ＝１，３，・・・）のデータ領域における記録先の位置に対応するガイド層Ｇ１における物理アドレスをＰＳＮ１、
偶数番目の記録層Ｌｘ（ｘ＝０，２，・・・）のデータ領域における記録先の位置に記録されるデータ単位に与えられる論理アドレスをＬＳＮ０、
奇数番目の記録層Ｌｘ（ｘ＝１，３，・・・）のデータ領域における記録先の位置に記録されるデータ単位に与えられる論理アドレスをＬＳＮ１として、
ＬＳＮ０＝（ＰＳＮ＿ｍａｘ×ｘ）＋ＰＳＮ０・・・（２）
ＬＳＮ１＝（ＰＳＮ＿ｍａｘ×（ｘ−１））＋ＰＳＮ１・・・（３）
によって計算される。
【００８５】
図１３は第２の実施形態による論理アドレスの割り当ての具体的を示す図である。
例えば、ガイド層Ｇ０には内周から外周へ向けて"１"から"１００"までの物理アドレスが連続して記録され、他方のガイド層Ｇ１には逆に外周から内周へ向けて"１０１"から"２００"までの物理アドレスが連続して記録されている。
【００８６】
（２）式および（３）式に従って論理アドレスＬＳＮ０，ＬＳＮ１を計算すると、
記録層Ｌ０（ｘ＝０）のデータ領域の場合には、（１００×０）＋ＰＳＮ０の計算結果が論理アドレスとなるため、ガイド層Ｇ０のデータ領域の物理アドレスである"１０"から"９０"がそのまま記録層Ｌ０のデータ領域の論理アドレスとして割り当てられる。
記録層Ｌ１（ｘ＝１）のデータ領域には、（１００×（１−１））＋ＰＳＮ１の計算結果が論理アドレスとなるため、"１１０"から"１９０"が記録層Ｌ１のデータ領域の論理アドレスとして割り当てられる。
記録層Ｌ２（ｘ＝２）のデータ領域には、（１００×２）＋ＰＳＮ０の計算結果が論理アドレスとなるため、"２１０"から"２９０"が記録層Ｌ２のデータ領域の論理アドレスとして割り当てられる。
記録層Ｌ３（ｘ＝３）のデータ領域には、（１００×（３−１））＋ＰＳＮ１の計算結果が論理アドレスとなるため、"３１０"から"３９０"が記録層Ｌ３のデータ領域の論理アドレスとして割り当てられる。
【００８７】
以上のように、本実施形態においても、ガイド層の物理アドレスと記録層情報から計算によって、全ての記録層のデータ領域に対して連続した論理アドレスを割り当てることができる。また、本実施形態によれば、隣り合う記録層に連続して記録されたユーザデータをアクセスする際に光ピックアップの長距離のジャンプが発生しないので、長距離のジャンプによるタイムロスを回避することができる。
【００８８】
＜第３の実施形態＞
次に、本発明に係る第３の実施形態を説明する。
第２の実施形態では、２つのガイド層Ｇ０、Ｇ１の２つのガイドトラックに記録された物理アドレスがそれぞれのスパイラルの向きに沿って増大する場合を例示した。しかし、本発明は、図１４に示すように、ガイド層Ｇ０のガイドトラックに記録された物理アドレスが一つの物理アドレス空間においてスパイラルの向きに沿って増大し、ガイド層Ｇ１のガイドトラックに記録された物理アドレスの値が同一の物理アドレス空間において逆にスパイラルの向きに沿って減少する場合にも適用できる。
【００８９】
図１４は、本実施形態において２つのガイド層Ｇ０、Ｇ１のデータ領域の物理アドレスと各記録層Ｌ０、Ｌ１、Ｌ２、Ｌ３のデータ領域に割り当てられる論理アドレスとの関係を示す図である。図１５は２つのガイド層Ｇ０、Ｇ１に割り当てられた物理アドレスを示す図である。
【００９０】
先行して用いられる一方のガイド層Ｇ０には内周から外周へ向けて"１"から"ＰＳＮ＿ｍａｘ"までの物理アドレスが連続して記録され、ガイド層Ｇ１のデータ領域には外周から内周へ向けて"ＰＳＮ＿ｍａｘ"から"１"までの物理アドレスが連続して記録されている。
【００９１】
この場合、各記録層に割り当てられる論理アドレスは、
ＬＳＮ０＝（ＰＳＮ＿ｍａｘ×ｘ）＋ＰＳＮ０・・・（４）
ＬＳＮ１＝（ＰＳＮ＿ｍａｘ×ｘ）＋ＰＳＮ＿ｍａｘ−ＰＳＮ１＋１・・・（５）
によって計算される。
【００９２】
図１６は第３の実施形態による論理アドレスの割り当ての具体的を示す図である。
例えば、ガイド層Ｇ０には内周から外周へ向けて"１"から"１００"までの物理アドレスが連続して記録され、他方のガイド層Ｇ１には逆に外周から内周へ向けて"１００"から"１"までの物理アドレスが連続して記録されている。
【００９３】
（４）式および（５）式に従って論理アドレスＬＳＮ０，ＬＳＮ１を計算すると、
記録層Ｌ０（ｘ＝０）のデータ領域の場合には、（１００×０）＋ＰＳＮ０の計算結果が論理アドレスとなるため、ガイド層Ｇ０のデータ領域の物理アドレスである"１０"から"９０"がそのまま記録層Ｌ０のデータ領域の論理アドレスとして割り当てられる。
記録層Ｌ１（ｘ＝１）のデータ領域には、（１００×１）＋１００−ＰＳＮ１＋１の計算結果が論理アドレスとなるため、"１１１"から"１９１"が記録層Ｌ１のデータ領域の論理アドレスとして割り当てられる。
記録層Ｌ２（ｘ＝２）のデータ領域には、（１００×２）＋ＰＳＮ０の計算結果が論理アドレスとなるため、"２１０"から"２９０"が記録層Ｌ２のデータ領域の論理アドレスとして割り当てられる。
記録層Ｌ３（ｘ＝３）のデータ領域には、（１００×３）＋１００−ＰＳＮ１＋１の計算結果が論理アドレスとなるため、"３１１"から"３９１"が記録層Ｌ３のデータ領域の論理アドレスとして割り当てられる。
【００９４】
以上のように、本実施形態においても、ガイド層の物理アドレスと記録層情報から計算によって、全ての記録層のデータ領域に対して連続した論理アドレスを割り当てることができる。また、本実施形態によっても、隣り合う記録層に連続して記録されたユーザデータをアクセスする際に光ピックアップの長距離のジャンプが発生しないので、長距離のジャンプによるタイムロスを回避することができる。
【００９５】
なお、本発明は、上述した実施の形態に限定されるものではなく、本発明の要旨を逸脱しない範囲において種々の変更が可能である。
【符号の説明】
【００９６】
１…光記録システム
３０…ドライブユニット
３１…ディスクドライブ
３２…光ピックアップ
７８…物理アドレス再生部
８１…コントローラ
１１１…ガイド層付き光ディスク
１１２…ガイド層
１１３…記録層
【図１】
2013239221.tif 000003
【図２】
2013239221.tif 000004
【図３】
2013239221.tif 000005
【図４】
2013239221.tif 000006
【図５】
2013239221.tif 000007
【図６】
2013239221.tif 000008
【図７】
2013239221.tif 000009
【図８】
2013239221.tif 000010
【図９】
2013239221.tif 000011
【図１０】
2013239221.tif 000012
【図１１】
2013239221.tif 000013
【図１２】
2013239221.tif 000014
【図１３】
2013239221.tif 000015
【図１４】
2013239221.tif 000016
【図１５】
2013239221.tif 000017
【図１６】
2013239221.tif 000018